(57)【特許請求の範囲】
【請求項１】
一対の四角形の枠体１は上辺に柄部２を有し、該柄部２はU字状のトンググリップで項部３がバネ作用の機能を有し、両枠体１の下辺には長方形の可撓性の薄板の包囲帯４の両端部４´がそれぞれ連結されて、該包囲帯４の内面９には粘着部を有し、拡開状態では馬蹄形状を形成して成り、糞処理用袋を用いる、犬の糞取り具。
【発明の詳細な説明】
【技術分野】
【０００１】
本発明は犬の糞を一般のポリ袋を使用して、犬と散歩中、又は家庭の庭で犬が放糞した時、糞を処理後、ポリ袋ごと捨てる事が出来る犬の糞取り具に関する。
【背景技術】
【０００２】
従来、犬の散歩をさせる時に、火挟み、ミニショベル、ヘラ、等で犬の糞を取りポリ袋に入れるか、又はポリ袋の中に手を入れミトン代わりに、間接的に糞を掴み、裏返してポリ袋に糞を入れる等の方法で処理されている
【０００３】
更には、汚物を挟み取る形状のアーム部の上からポリ袋をかぶせて使用する方法が提案されている（特許文献１，２，３参照）。
これらの文献は糞取り具に袋を被せて処理する方法で本発明の方向と同じで、良い点が多くある。しかし解決すべき課題も多く、その課題が未解決の為、現在も犬の放糞を見て見ぬふりして、そのまま放置して立ち去る。未だに「糞の放置禁止」の建て看板を多く見受けられる事は悲しく、残念に思う。
【０００４】
犬の健康状態により糞は、硬い糞の時と、軟らかい糞の時や、集中した糞や、散らばった糞もある、本発明は、負の条件を課題として取り組み解決する。
【特許文献１】特開２０００−６９８７３号公報
【特許文献２】特開２００１−８５７１号公報
【特許文献３】特開２００２−２２３６５５号公報
【発明の開示】
【発明が解決しようとする課題】
【０００５】
ポリ袋の中に手を入れミトン代わりに、間接的に糞を掴み裏返してポリ袋に糞を入れる処理方法が多く使われているが、生温かい糞を掴むには愛情が無ければ出来ない事で、大型犬の場合、大きくて更に量も多いので処理が大変である。
【０００６】
文献内容からの課題で、
Ａ）軟らかい糞を処理する場合の問題点。
ワイヤーの枠体に袋を被せる場合、ダブダブの袋を止めないで使用すると、硬い路面上では路面抵抗で袋がずれて、せっかく取り込んでも又外に転がり出てしまう欠点がある。更にワイヤーの太さのために、糞を袋に取り込む場合でも路面に塗り潰してしまう可能性が有る。
Ｂ）散らばった糞を処理する場合の問題点。
Ａの所で述べたようにワイヤーの太さが障害となり糞を上手に掴んだり、寄せ集めたり出来ない、ショベル効果を発揮するためには薄い先端部が必要であり、もう一点は袋のズレ防止として固定される事が必要である。（図３参照）
Ｃ）器具に安定してセットする方法。
器具にポリ袋をセットする時、袋の折り返し寸法が短いと糞を挟持して糞を奥に入れても、袋口を封緘処理時に袋口付近が汚れて手を汚す可能性がある。
【０００７】
本発明は、このように従来の問題点を解決しようとするものであり、手に触れずに効果的に処理することを目的とするものである。
【課題を解決するための手段】
【０００８】
本発明は上記目的を達成するため、ポリ袋１０を用いて糞１１を掴む器具である。
【０００９】
一対の四角形の枠体１は上辺に柄部２を有し、該柄部２はＵ字状のトンググリップで頂部３がバネ作用の機能を有し、枠体１の下辺には長方形の可撓性のプラスチック板の包囲帯４の両端部４′が連結されて、拡開状態では馬蹄形状を形成している、内面９には粘着部を形成している。
【００１０】
本器具にポリ袋１０を被せて器具で糞１１を掴み、袋を裏返して袋口を収束し封じてゴミ箱にいれて完了するので、処理操作中は一切、糞１１には手を触れる事なく終了出来る。
【発明の効果】
【００１１】
上述したように本発明の犬の糞取り具がポリ袋１０を介して間接的に糞１１を掴み、ポリ袋１０を裏返して袋口を封緘処理するので極めて迅速且つ簡単である。
【００１２】
糞１１が柔らかい場合でも包囲帯４の両端部４′の先端がショベル効果を発揮するので充分掬い上げが出来る。コンクリート面やアスファルト面に於ける別の方法はオガクズ又は落ち葉を細かく砕いた粉末を撒いてから掬い上げると更に効果的である。（図７参照）
【００１３】
糞処理の場合、ポリ袋１０は深く裏返すので糞１１は袋の底辺に留まるので袋口の封緘寸法が充分あるので確実に処理できる。袋は余裕があるので多量の収容も可能である。（図５参照）（参考）大型犬の糞１１のサイズは普通、太さ２０mm×７０mmで量は多くても５〜６個である。又、使用するポリ袋の寸法は外形２３０×３４０ｍｍの規格袋を用いた使用例である。
【００１４】
コンクリート面やアスファルト面を擦ると包囲帯４の両端部４′が硬い表面に馴染んで密着し、ショベル効果を発揮する。
【００１５】
包囲帯４の内面９には粘着部が形成されていて、ポリ袋１０が予め張り付いているのでコンクリート面やアスファルト面を擦ってもポリ袋１０が、ずれないで当初の鳥の巣形状のままの姿勢を保持している。
【発明の実施のための最良の形態】
【００１６】
以下本発明の形態を図１〜図８に基づいて説明する。
【００１７】
最初に実施例１を説明する。図において一対の四角形の枠体１は上辺に柄部２を有し、該柄部２はＵ字状のトンググリップで頂部３がバネ作用の機能を有し、枠体１の下辺には長方形の可撓性のプラスチック板の包囲帯４の両端部４′がそれぞれ連結されている。枠体１の拡開状態では包囲帯４は馬蹄形状を形成している。馬蹄形状を形成した包囲帯４の内面９には粘着部を形成している。この粘着部には繰り返し使用可能な性質を持つ粘着剤を使用する。（図１参照）
【００１８】
操作手順を示す
ステップ１：本器具の柄部２を握り、枠体１は閉状態にしてポリ袋１０の中へ本器具を差し込んで枠体１を開状態にする。（図２参照）
ステップ２：ポリ袋１０の底部を開状態の枠体１内の包囲帯４（馬蹄形状の内面）に手で押し込んで鳥の巣形状にして包囲帯４の内面９の粘着面に貼り付ける。（図３参照）
ステップ３：目標の糞１１をめがけて包囲帯４を近づけ、上から被せてパックンと操作して（柄部２を握って枠体１を閉状態にする）、糞１１を掬って包囲帯４の内部（馬蹄形状の内面部）に取り込み、柄部２を握り続ける。（図４参照）
ステップ４：本器具を上向きにしてからポリ袋１０を裏返して袋口を収束する。（図５参照）
ステップ５：本器具の柄部２を再び弛めて包囲帯４からポリ袋１０を取り外し、袋口を結び完了する。（図６参照）
以上の操作にて手は触れずにポリ袋１０を封じる事ができる
【００１９】
次に第２の実施例を説明する。枠体１の機能は同一であるが上辺の柄部５の構成が多少異なるので説明する、柄部５は枠体１と同一材料で構成され枠体１と柄部５がワイヤーの一体構造である、次に枠体１の開閉回動には枠体１上辺が交又した支点軸６を形成したヒンジグリップで柄部５の基点位置にバネ７を付設し、携帯時に便利な様に閉状態に保持するため、保持リング８を柄部５の所に遊嵌させる、頂部の所に位置付けると閉状態を保持している、故に開状態にするには柄部５の基点に位置付けると閉が解除される。（図８参照）
糞取りの操作方法は実施例１と同一である。
【図面の簡単な説明】
【００２０】
【図１】本発明の実施形態を示す犬の糞取り具の外観図。
【図２】糞取り具をポリ袋１０の中に入れた姿図。
【図３】糞取り具を開状態でポリ袋１０の底部を鳥の巣形状にして、包囲帯４の内面９の粘着面に貼り付けた姿図。
【図４】糞取り具で上から糞１１を掴んだ状態の姿図。
【図５】糞取り具で糞１１を掴んでからポリ袋１０を裏返した姿図。
【図６】糞１１の入ったポリ袋１０の袋口を封じた姿図。
【図７】糞取り具で糞１１をショベル作用で掬い上げる直前の姿図。
【図８】実施例２の犬の糞取り具の外観図。
【図１】
0004650692.tif 000002
【図２】
0004650692.tif 000003
【図３】
0004650692.tif 000004
【図４】
0004650692.tif 000005
【図５】
0004650692.tif 000006
【図６】
0004650692.tif 000007
【図７】
0004650692.tif 000008
【図８】
0004650692.tif 000009